(57)【要約】【課題】ルーバーの奥行き幅の大小にかかわらずルーバーへの取り付け状態を強固として物品をルーバーに連結することができるだけでなく、ルーバーの損傷を防止しつつ、ルーバーへの取り付けや取り外し作業を極めて容易に行なうことができる連結具を提供する。【解決手段】自動車用エアコンの吹き出し口のルーバー２の奥行き方向に延びる延出部４と、延出部４に沿って摺動自在の摺動部材５とを設ける。延出部４の先端にルーバー２の内側縁部に掛止する第１掛止爪部７を設け、摺動部材５の先端にルーバー２の外側縁部に掛止する第２掛止爪部８を設ける。延出部４の後端部に進退不能且つ回転自在に支持された回転操作部材６の内周面にネジ溝１５を設け、摺動部材５の外側面に回転操作部材６のネジ溝１５に螺合するネジ溝１４を設けて、回転操作部材６の回転操作により摺動部材５を進退させる。【選択図】図３
0003107092.tif 000002
【実用新案登録請求の範囲】
【請求項１】
自動車用エアコンの吹き出し口に物品を取り付けるときに該吹き出し口のルーバーと前記物品とを互いに連結する連結具において、
前記ルーバーの奥行き方向に延びる延出部と、該延出部の先端に連設されて前記ルーバーの内側縁部に掛止する第１掛止爪部と、前記延出部に沿って摺動自在に設けられ、前記ルーバーの外側縁部に向かって進退する摺動部材と、該摺動部材の先端に設けられて該摺動部材が前進したとき前記第１掛止爪部と対向して前記ルーバーの外側縁部に掛止する第２掛止爪部と、前記延出部の後端部に進退不能且つ回転自在に支持されて、内部を前記摺動部材が移動自在に挿通される円筒状の回転操作部材と、前記延出部の後端に前記物品を連結する連結部とを備えてなり、
該回転操作部材は、その内周面にネジ溝を備え、
前記摺動部材は、その外側面に前記回転操作部材のネジ溝に螺合するネジ溝を備えて該回転操作部材の回転操作に応じて進退することを特徴とする連結具。
【請求項２】
前記延出部は、その両側に沿って長手方向に延びる一対の案内レールを備え、
前記摺動部材は、両案内レールを両側から抱き込んで両案内レールに摺動自在に係合する一対の係合案内部を備えることを特徴とする請求項１記載の連結具。
【請求項３】
前記連結部は、前記物品に設けられた被係合部に着脱自在に係合する係合部を備えることを特徴とする請求項１又は２記載の連結具。
【請求項４】
前記摺動部材は、前記第２掛止爪部が前記第１掛止爪部に当接したとき前記回転操作部材への螺合を維持して前進方向の摺動が規制されることを特徴とする請求項１乃至３記載の連結具。
【考案の詳細な説明】
【技術分野】
【０００１】
本考案は、自動車用エアコンの吹き出し口に飲料缶ホルダ等の物品を取り付ける際に用いられる連結具に関する。
【背景技術】
【０００２】
従来、自動車用エアコンの吹き出し口に飲料缶等を支持するカップホルダを取り付けるときに、該吹き出し口のルーバーとカップホルダとを互いに連結する連結具として特開平９−２４０３４７号公報に示されるものが知られている。
【０００３】
図４に示すように、この種の連結具２０は、ルーバーの奥行き方向に延びる延出部２１と、延出部２１に沿って摺動自在の摺動部材２２とを備えている。摺動部材２２は、延出部２１の後端部に支持されたコイルスプリング２３によって延出部２１の先端に向かう前進方向に付勢されている。延出部２１の先端部には第１掛止爪部２４が連設されており、摺動部材２２の先端には第２掛止爪部２５が形成されている。第１掛止爪部２４はルーバーの内側縁部に掛止する一方で第２掛止爪部２５はルーバーの外側縁部に掛止し、コイルスプリング２３の付勢によって第１掛止爪部２４と第２掛止爪部２５とによるルーバーの挟持状態が維持されるようになっている。また、延出部２１の後端部にはカップホルダの背面側に連結する連結部２６が設けられている。
【０００４】
自動車用エアコンの吹き出し口に設けられているルーバーは、車種によってその奥行き方向の幅寸法が異なっているが、摺動部材２２がコイルスプリング２３に付勢された状態で延出部２１に沿って摺動自在であるので、第１掛止爪部２４と第２掛止爪部２５との間に確実にルーバーを挟持することができる。
【０００５】
しかし、第１掛止爪部２４と第２掛止爪部２５との間にルーバーが挟持されたとき、挟持状態を維持するコイルスプリング２３の付勢力は、ルーバーの奥行き幅が比較的狭いときは小となり、ルーバーの奥行き幅が比較的広いときは大となる。このため、ルーバーの奥行き幅が比較的狭いときには弱い付勢力によって確実に取り付け状態を維持することが困難となり、重量が比較的重いものをカップホルダに載置したときにルーバーから外れるおそれがある。
【０００６】
そこで、コイルスプリング２３の付勢力を予め大として、ルーバーの奥行き幅が比較的狭いときにも十分に取り付け状態が維持できるようにすることが考えられるが、取り付け作業や取り外し作業の際に第１掛止爪部２４と第２掛止爪部２５との間隔を広げるときに、コイルスプリング２３の付勢力に抗して摺動部材２２を強く引っ張らなければならず、作業者が非力な場合は特に煩わしい作業となるおそれがある。
【０００７】
また、取り付け作業や取り外し作業の際に、摺動部材２２を引っ張って第１掛止爪部２４と第２掛止爪部２５との間隔を広げたとき、第１掛止爪部２４と第２掛止爪部２５との間にルーバーが位置した状態で、摺動部材２２の引っ張りが不用意に解除されると、ルーバーに第２掛止爪部２５が急激に当接して、場合によってはルーバーが損傷するおそれがある。
【考案の開示】
【考案が解決しようとする課題】
【０００８】
かかる不都合を解消して、本考案は、ルーバーの奥行き幅の大小にかかわらずルーバーへの取り付け状態を強固として物品をルーバーに連結することができるだけでなく、ルーバーの損傷を防止しつつ、ルーバーへの取り付けや取り外し作業を極めて容易に行なうことができる連結具を提供することを目的とする。
【課題を解決するための手段】
【０００９】
かかる目的を達成するために、本考案は、自動車用エアコンの吹き出し口に物品を取り付けるときに該吹き出し口のルーバーと前記物品とを互いに連結する連結具において、前記ルーバーの奥行き方向に延びる延出部と、該延出部の先端に連設されて前記ルーバーの内側縁部に掛止する第１掛止爪部と、前記延出部に沿って摺動自在に設けられ、前記ルーバーの外側縁部に向かって進退する摺動部材と、該摺動部材の先端に設けられて該摺動部材が前進したとき前記第１掛止爪部と対向して前記ルーバーの外側縁部に掛止する第２掛止爪部と、前記延出部の後端部に進退不能且つ回転自在に支持されて、内部を前記摺動部材が移動自在に挿通される円筒状の回転操作部材と、前記延出部の後端に前記物品を連結する連結部とを備えてなり、該回転操作部材は、その内周面にネジ溝を備え、前記摺動部材は、その外側面に前記回転操作部材のネジ溝に螺合するネジ溝を備えて該回転操作部材の回転操作に応じて進退することを特徴とする。
【００１０】
本考案の連結具をルーバーに取り付けるときには、先ず、前記回転操作部材を回転操作して摺動部材を後退させることによって、前記第１掛止爪部から前記第２掛止爪部を十分に離間させ、延出部をその先端からルーバーの奥行き方向にエアコンの冷風吹き出し口に差し込む。次いで、延出部の先端の第１掛止爪部をルーバーの内側縁部に掛止させる。続いて、前記回転操作部材を回転操作して摺動部材を前進させ、摺動部材の先端の第２掛止爪部をルーバーの外側縁部に圧接して掛止させる。これにより、前記第１掛止爪部と前記第２掛止爪部とがルーバーを挟持して確実に掛止した状態となるので、連結具はルーバーに強固に取り付けられる。
【００１１】
このように、本考案によれば、前記回転操作部材を回転操作するだけで、極めて容易に前記第１掛止爪部と前記第２掛止爪部とをルーバーに掛止させることができ、取り付け作業を容易に行うことができる。また、摺動部材の進退移動量に応じて第１掛止爪部と第２掛止爪部との間隔を自由に設定できるので、ルーバーの奥行き幅の大小にかかわらず確実に一定の圧接力でルーバーに第１掛止爪部と第２掛止爪部とを圧接掛止させることができ、確実な連結状態を容易に得ることができる。更に、従来のようにコイルスプリング等の付勢手段が不要であるため、第２掛止爪部がルーバーに急激に当接することがなく、ルーバーの損傷を防止して取り付けや取り外し作業を行うことができる。
【００１２】
また、本考案において、前記延出部は、その両側に沿って長手方向に延びる一対の案内レールを備え、前記摺動部材は、両案内レールを両側から抱き込んで両案内レールに摺動自在に係合する一対の係合案内部を備えることを特徴とする。これによれば、摺動部材が極めて高い精度で案内レールに摺動案内されるので、回転操作部材の回転操作による摺動部材の進退が円滑に行われ、ルーバーへの取り付け作業を容易とすることができる。
【００１３】
また、本考案において、前記連結部は、前記物品に設けられた被係合部に着脱自在に係合する係合部を備えることが好ましい。これによれば、連結具の連結部は、その係合部に物品の被係合部を係合させるだけで物品を着脱自在に連結できるので、ルーバーに連結具を取り付けた後に、連結具の連結部に物品を連結することができ、回転操作部材の回転操作時に物品が邪魔になることなく連結具のルーバーへの取り付け作業を行うことができる。また、ルーバーから連結具を取り外す場合にも、物品を連結部から取り外した後に回転操作部材の回転操作を行うことができるので作業性が極めて良い。
【００１４】
また、本考案において、前記摺動部材は、前記第２掛止爪部が前記第１掛止爪部に当接したとき前記回転操作部材への螺合を維持して前進方向の摺動が規制されることが好ましい。これによれば、摺動部材の前進が第２掛止爪部と第１掛止爪部との当接により規制されるので、回転操作部材の回し過ぎが防止でき、また、摺動部材が回転操作部材から外れることもないので、回転操作部材が空回りして摺動部材が進退不能状態となることが確実に防止できる。
【考案を実施するための最良の形態】
【００１５】
本考案の一実施形態を図面に基づいて説明する。図１は本実施形態の連結具を示す説明的斜視図、図２は図１のII−II線断面図、図３は本実施形態の連結具による連結状態を示す説明的断面図である。
【００１６】
本実施形態の連結具１は、図３に示すように、吹き出し口のルーバー２とカップホルダ３（物品）とを互いに連結するものであり、図１に示すように、延出部４と、延出部４に沿って摺動自在の摺動部材５と、回転操作するための回転操作部材６とを備えている。延出部４の先端には第１掛止爪部７が一体に連設されている。摺動部材５の先端には、第１掛止爪部７に対向する第２掛止爪部８が一体に連設されている。
【００１７】
延出部４には、図１及び図２に示すように、その両側に長手方向に沿って案内レール９が形成されている。摺動部材５は、図２に示すように、延出部４の案内レール９を両側から抱き込んで両案内レール９に摺動自在に係合する一対の係合案内部１０を備えている。
【００１８】
回転操作部材６は、図２及び図３に示すように、延出部４の後端部に回転自在に支持されており、延出部４に一体に連設された第１規制部１１と鍔状の第２規制部１２との間で進退不能に支持されている。回転操作部材６の後端部外周には、回転操作時に滑り止めとなる複数の突起１３が形成されている。
【００１９】
摺動部材５は、図３に示すように、回転操作部材６の内部に挿通され、図１及び図３に示すように、その外側面にネジ溝１４が形成されている。回転操作部材６の内周には、図３に示すように、摺動部材５のネジ溝１４に螺合するネジ溝１５が形成されており、回転操作部材６を回転操作することによって、摺動部材５が進退される。
【００２０】
また、図１及び図３に示すように、延出部４の後端には連結部１６が設けられている。連結部１６は、カップホルダ３に設けられた所謂ダルマ孔状の被係合部１７に着脱自在に係合する係合部１８を備えている。
【００２１】
以上の構成による本考案の連結具１により吹き出し口のルーバー２とカップホルダ３とを互いに連結するときには、連結具１を吹き出し口のルーバー２に取り付けた後、連結具１にカップホルダ３を取り付ける。即ち、図３を参照すれば、先ず、延出部４をルーバー２の奥行き方向に差し込んで、第１掛止爪部７をルーバー２の内側縁部に掛止させる。次いで、回転操作部材６を回転操作して摺動部材５を前進させ、第２掛止爪部８をルーバー２の外側縁部に掛止させる。これにより、第１掛止爪部７と第２掛止爪部８とによってルーバー２が挟持され、連結具１がルーバー２に強固に取り付けられる。
【００２２】
このとき、回転操作部材６の回転操作によってルーバー２の奥行き幅に応じた間隔に第１掛止爪部７と第２掛止爪部８とを接近させることができ、確実にルーバー２を挟持することができるので、ルーバー２の奥行き幅の大小にかかわらず連結具１のルーバー２への取り付け状態を強固に維持することができる。
【００２３】
続いて、カップホルダ３の被係合部１７を、連結具１の連結部１６に形成されている係合部１８に係合させる。これにより連結具１を介してカップホルダ３がルーバー２に連結された状態となる。
【００２４】
また、ルーバー２からカップホルダ３を取り外すときには、連結具１の連結部１６からカップホルダ３の被係合部１７を取り外し、次いで、回転操作部材６を回転操作して摺動部材５を後退させる。これにより、ルーバー２の外側縁部から第２掛止爪部８から離反して、第１掛止爪部７と第２掛止爪部８とによるルーバー２の挟持が解除される。
【００２５】
以上のように、本考案の連結具１によれば、回転操作部材６を回転操作することにより第２掛止爪部８を第１掛止爪部７に対して接近・離反させるので、従来のようなコイルスプリングを採用した場合（図４参照）のように、コイルスプリングの付勢によって急激に第２掛止爪部８がルーバー２に衝突することが全くないので、ルーバー２の損傷を防止しつつ、ルーバー２への連結具１の取り付けや取り外し作業を極めて容易に行なうことができる。
【図面の簡単な説明】
【００２６】
【図１】本考案の一実施形態の連結具を示す説明的斜視図。
【図２】図１のII−II線断面図。
【図３】本実施形態の連結具による連結状態を示す説明的断面図。
【図４】従来の連結具を示す説明図。
【符号の説明】
【００２７】
１…連結具、２…ルーバー、４…延出部、５…摺動部材、６…回転操作部材、７…第１掛止爪部、８…第２掛止爪部、９…案内レール、１０…係合案内部、１４，１５…ネジ溝、１６…連結部、１７…被係合部、１８…係合部。
【図１】
0003107092.tif 000003
【図２】
0003107092.tif 000004
【図３】
0003107092.tif 000005
【図４】
0003107092.tif 000006